(57)【要約】【課題】大量の廃薄型テレビをリサイクル工場まで安全に搬送するために用いられるコンテナを提供する。【解決手段】複数の廃薄型テレビを搬送するためのコンテナであって、廃薄型テレビを挟み込むための弾性を有するＵ字状部材が設けられた廃薄型テレビ搬送用コンテナ。Ｕ字状部材は、コンテナの剛性を有する部材に取り付けられたものであることが好ましく、またＵ字状部材が取り付けられた剛性を有する部材は着脱自在であることが好ましい。【選択図】図１
2009126542.tif 000002
【特許請求の範囲】
【請求項１】
複数の廃薄型テレビを搬送するためのコンテナであって、廃薄型テレビを挟み込むためのＵ字状部材を備える、廃薄型テレビ搬送用コンテナ。
【請求項２】
Ｕ字状部材が、コンテナの剛性を有する部材に取り付けられたものである、請求項１に記載の廃薄型テレビ搬送用コンテナ。
【請求項３】
Ｕ字状部材が取り付けられた剛性を有する部材が着脱自在である、請求項２に記載の廃薄型テレビ搬送用コンテナ。
【請求項４】
Ｕ字状部材が、剛性を有する部材に３〜６個取り付けられてなる、請求項１〜３のいずれかに記載の廃薄型テレビ搬送用コンテナ。
【請求項５】
Ｕ字状部材が取り付けられた剛性を有する部材が、コンテナに設けられた扉部の内側および扉部に対向する部分にそれぞれ取り付けられた、請求項２〜４のいずれかに記載の廃薄型テレビ搬送用コンテナ。
【請求項６】
Ｕ字状部材が金属製のばね材である、請求項１〜５のいずれかに記載の廃薄型テレビ搬送用コンテナ。
【請求項７】
Ｕ字状部材の先端部の互いに対向する面の少なくとも一方側にゴム弾性を有する部材が取り付けられた、請求項１〜６のいずれかに記載の廃薄型テレビ搬送用コンテナ。
【請求項８】
Ｕ字状部材が取り付けられた剛性を有する部材が、コンテナの内部空間に、コンテナの外部空間から着脱自在であるように設けられた、請求項３〜７のいずれかに記載の廃薄型テレビ搬送用コンテナ。
【請求項９】
コンテナの底板に、廃薄型テレビを積み込む方向に沿ってスリットが形成されている、請求項１〜８のいずれかに記載の廃薄型テレビ搬送用コンテナ。
【発明の詳細な説明】
【技術分野】
【０００１】
本発明は、廃薄型テレビのリサイクルに適用され、特に廃薄型テレビをリサイクル工場へ安全に搬送するために用いられるコンテナに関する。
【背景技術】
【０００２】
近年、社会における生産・消費活動全般について一般廃棄物、産業廃棄物が増加し、不法投棄、埋立地逼迫など地球環境問題が注目を集め、これまでの大量生産、大量消費、大量投棄型の経済システムから資源循環型経済システムへの転換が社会的に重要な課題となっている。
【０００３】
このような状況を受けて、たとえば２００１年４月には家電リサイクル法が施行され、エアコン、テレビ、冷蔵庫（冷凍庫）、洗濯機の家電４品目のリサイクルが義務付けられそれぞれの再商品化率については、エアコン６０％以上、テレビ５５％以上、冷蔵庫（冷凍庫）５０％以上、洗濯機５０％以上の法定基準値が定められている。
【０００４】
これら家電４品目においては、関係者の鋭意努力のもと、法律施行当初に比べリサイクルが格段に進んでいる。現在、家電４品目に使用されている鉄、銅、アルミニウムなどの金属はもとより、プラスチックについてもリサイクルが拡大しつつある。また、テレビにおいては、ＣＲＴ（Ｃａｔｈｏｄｅ  Ｒａｙ  Ｔｕｂｅ）のガラスを切断して電子銃、蛍光体を除去した後、ガラスカレットとして元のＣＲＴ用ガラスに再生使用するリサイクル技術が既に実用化されている。
【０００５】
ところで、近年、薄型テレビが急速に普及しているため、環境との共存が期待される循環型社会の形成の中、薄型テレビの廃棄物（廃薄型テレビ）についてもリサイクルし、資源を有効に利用することが要望されている。
【０００６】
さらに、薄型テレビがリサイクル対象品目として追加される見込みとなってきたため、解体を容易とすることを目的として、液晶テレビにおいては、バックライト（蛍光管）とインバータ基板、ランプ指示枠などをユニット化したバックライト（蛍光管）構造が、たとえば特開２００４−３４２５５０号公報（特許文献１）に提案されている。
【０００７】
他にも、液晶パネルガラスのリサイクル方法として、パネルガラスを破砕して、非鉄製錬の珪石代替材料として利用する方法が特開２００１−３０５５０２号公報（特許文献２）に提案されている。
【０００８】
一方、製品廃薄型テレビの搬送方法としては、複数の同形状の薄型テレビをトレーに固定した後、吊り下げて搬送する方法が、特開２００７−１３７４８４号公報（特許文献３）に記載されている。
【０００９】
しかし、上述した特許文献１〜３のいずれにも、廃薄型テレビを大量にまた安全に輸送して再資源化する技術についての記載はない。
【特許文献１】特開２００４−３４２５５０号公報
【特許文献２】特開２００１−３０５５０２号公報
【特許文献３】特開２００７−１３７４８４号公報
【発明の開示】
【発明が解決しようとする課題】
【００１０】
薄型テレビは、省電力・省資源に貢献できる表示装置であるので、今後、高度情報化社会の進展に伴って、急激に生産量が増大するとともに、その表示面積も大型化することが予測される。これに伴って、今後、廃棄される薄型テレビも、数・量ともに急激に増大すると予想される。
【００１１】
現在、廃薄型テレビの適正な処理方法が確立されておらず、ＣＲＴ（Ｃａｔｈｏｄｅ  Ｒａｙ  Ｔｕｂｅ）その他の家電製品と比較して技術確立などが遅れているのが実情である。したがって廃薄型テレビの増加に備えた再資源化処理方法の確立が早急に要求されている。
【００１２】
多くの薄型テレビは、表示部を含む本体と、スタンドとから構成されている。スタンドは、金属、樹脂成形品などから構成されているが、本体は金属、樹脂成形品の他にパネルガラス、プリント基板、液晶材料、蛍光管などの部材・部品から構成されている。本体を構成する部材・部品は、回収することにより、環境負荷低減、安全性向上が図れる部材・部品が多いにも関わらず、廃棄される薄型テレビを消費者からリサイクル工場まで安全かつ効率的に搬送して、再資源化処理を行うシステムについては、未だ提案されていない。
【００１３】
また、廃薄型テレビを搬送する際の問題点として、以下の（１）〜（３）の事項が考えられる。
【００１４】
（１）廃薄型テレビのパネルガラスは薄いため、廃薄型テレビを平積みした場合、輸送中に他の廃薄型テレビと接触して、パネルガラスが破損する可能性が高い。
【００１５】
（２）コンテナより取り出すときに廃薄型テレビを落下させてしまい、パネルガラスを破損する可能性が高い。
【００１６】
（３）廃薄型テレビは、大きさ、形状が機種により違いがあり、同一形状のトレーでは固定することが困難である。
【００１７】
本発明は、上記課題を解決するためになされたものであって、その目的とするところは、大量の廃薄型テレビをリサイクル工場まで安全に搬送するために用いられるコンテナを提供することである。
【課題を解決するための手段】
【００１８】
本発明は、複数の廃薄型テレビを搬送するためのコンテナであって、廃薄型テレビを挟み込むためのＵ字状部材を備えることを特徴とする。
【００１９】
ここにおいて、Ｕ字状部材はコンテナの剛性を有する部材に取り付けられたものであることが好ましく、Ｕ字状部材が取り付けられた剛性を有する部材が着脱自在であることがより好ましい。
【００２０】
本発明の廃薄型テレビ搬送用コンテナにおいて、Ｕ字状部材は、剛性を有する部材に３〜６個取り付けられてなることが、好ましい。
【００２１】
また本発明の廃薄型テレビ搬送用コンテナにおいて、Ｕ字状部材が取り付けられた剛性を有する部材が、コンテナに設けられた扉部の内側および扉部に対向する部分にそれぞれ取り付けられてなることが、好ましい。
【００２２】
本発明の廃薄型テレビ搬送用コンテナにおいて、Ｕ字状部材が金属製のばね材であることが、好ましい。
【００２３】
また本発明の廃薄型テレビ搬送用コンテナにおいて、Ｕ字状部材の先端部の互いに対向する面の少なくとも一方側にゴム弾性を有する部材が取り付けられてなることが、好ましい。
【００２４】
本発明の廃薄型テレビ搬送用コンテナはまた、Ｕ字状部材が取り付けられた剛性を有する部材が、コンテナの内部空間に、コンテナの外部空間から着脱自在であるように設けられてなることが、好ましい。
【００２５】
さらに本発明の廃薄型テレビ搬送用コンテナは、コンテナの底板に、廃薄型テレビを積み込む方向に沿ってスリットが形成されていることが、好ましい。
【発明の効果】
【００２６】
本発明の廃薄型テレビの搬送用コンテナによれば、色々な大きさの廃薄型テレビを安定した状態で大量にリサイクル工場に搬送できる。また、リサイクル工場で容易に廃薄型テレビを取り出すことができる。その結果、搬送中に廃薄型テレビのパネルガラスが破損し、液晶材料の飛散、蛍光管中の水銀の飛散といった危険性をなくすことができると共に、廃薄型テレビの搬送時、解体時に、作業者がパネルガラス、蛍光管ガラスの破片に触って怪我をすることも少なくでき、安全性が向上されるという効果も奏される。
【発明を実施するための最良の形態】
【００２７】
本発明の廃薄型テレビの搬送用コンテナの詳細な説明に先立ち、まずは、本発明の搬送用コンテナを用いた搬送に供される廃薄型テレビについて説明する。なお、薄型テレビに分類されるプラズマテレビの場合、液晶テレビとはパネル構造が異なるが、主要な構成部品についてはほぼ同様であるため、説明を省略する。図７は、薄型テレビに分類される典型的な一例の液晶テレビ１０１の斜視図であり、図８は図７に示す液晶テレビ１０１の分解斜視図である。液晶テレビ１０１は、図７および図８に示すように、表示部を含む本体１０２と、スタンド１０３とから構成され、本体１０２とスタンド１０３とは、通常、締結ねじなどの締結部品で締結されている。
【００２８】
さらに、図８に示されるように、液晶テレビ１０１の本体１０２は、後キャビネット１０４と前キャビネット１０５とをねじなどで締結することで形成された箱体で実現される。この後キャビネット１０４と前キャビネット１０５との間には、液晶表示装置駆動用のプリント基板１０６と液晶モジュール１０７が配されている。さらに、この液晶モジュール１０７は、金属製のバックライトシャーシ１０８と、樹脂製の液晶モジュール前カバー１０９との間に、映像を明るく見えやすくする蛍光管１１０と、蛍光管１１０の光を有効にパネルガラス側に反射させる目的で設けられたポリエステル製反射板１１１、蛍光管１１０の光を均一に面発光するようにアクリル板の表面に特殊な加工を施した導光板１１２、導光板１１２を通過した光をさらに広げるポリカーボネート製の拡散板１１３、拡散板１１３によって拡げられた光を均一にするアクリル、ポリエステルなどで形成されたプリズム板１１４、光の振動をある方向に制限する反射偏光板１１５などの光学系部品と、２枚のガラス間に封じ込められた液晶材料に電圧をかけることにより映像が表示される液晶パネルガラス１１６などから構成されている。
【００２９】
本発明の廃薄型テレビの搬送用コンテナには、たとえば上述したような構造を備える薄型テレビの廃棄物（廃薄型テレビ）が適用される。以下、廃液晶テレビを適用する場合を例に挙げて本発明の搬送用コンテナについて説明するが、本発明のコンテナには、液晶テレビ以外にも、薄型テレビに分類されるＰＤＰ、有機ＥＬなどを適用しても勿論よい。
【００３０】
図１は、本発明の廃薄型テレビの搬送用コンテナ１を模式的に示す斜視図である。本発明のコンテナ１は、廃薄型テレビ２を搬送するためのコンテナであって、廃薄型テレビ２を挟み込むための弾性を有するＵ字状部材３が設けられてなることを特徴とする。このような本発明のコンテナ１によれば、Ｕ字状部材３によって廃薄型テレビ２を挟み込んで固定した状態で搬送することができるため、色々な大きさの廃薄型テレビを安定した状態で大量にリサイクル工場に搬送でき、また、リサイクル工場で容易に廃薄型テレビを取り出すことができる。その結果、搬送中に廃薄型テレビのパネルガラスが破損し、液晶材料の飛散、蛍光管中の水銀の飛散といった危険性をなくすことができると共に、廃薄型テレビの搬送時、解体時に、作業者がパネルガラス、蛍光管ガラスの破片に触って怪我をすることも少なくできる。
【００３１】
ここで、図２は、本発明におけるＵ字状部材３を模式的に示す上面図である。本発明に用いられるＵ字状部材３は、図２に示すように、中途で屈曲し、先端部３ａ，３ｂが互いに対向するような断面Ｕ字状を有し、廃薄型テレビを搬送する際に、廃薄型テレビ２を挟み込むことができるように、先端部３ａ，３ｂが互いに近接する方向に付勢されるような弾性を有するように形成されてなる。このようなＵ字状部材３は、繰り返しの使用による変形、急激な負荷による破損がないことにより、金属製のばね材で実現されることが好ましい。Ｕ字状部材３の形成に用いられる金属としてはたとえば、破損、変形の少ない材料としてＳＵＳ、鉄などが好ましい。
【００３２】
なお、本発明の搬送用コンテナ１に好適に適用される廃薄型テレビ２は、型式により寸法が相違する。具体的には、６５型液晶テレビの場合、パネル部の寸法は幅が１６００ｍｍ、高さが９８０ｍｍ、奥行きが１３０ｍｍであるのに対し、１３型液晶テレビの場合、パネル部の寸法は幅が３２３ｍｍ、高さが３３８ｍｍ、奥行きが８８ｍｍである。このため、本発明におけるＵ字状部材３は、廃薄型テレビ２を挟み込んだ状態で、屈曲部と先端部との間の中間付近における幅（開口幅）Ｄの変化によって廃薄型テレビ２にかかる力が大きく変化しないように実現された方が、搬送時の安定性が向上する。このため、たとえば、Ｕ字状部材３の長さＬを３００ｍｍとすることで、上述した１３型液晶テレビの場合と６５型液晶テレビの場合とでテレビにかかる力の差を１０％以下に抑えることができる。具体的には、Ｕ字状部材３として、たとえば厚み１．５ｍｍのＳＵＳ製のばね材を用い、寸法Ｌを３００ｍｍ、高さを２０ｍｍとし、開口幅Ｄの自然長を１８ｍｍとし、また挟み込みの際に廃薄型テレビが円滑に挿入されるように、先端部３ａ，３ｂ間の幅Ｄ２を１５０ｍｍと大型の廃薄型テレビの奥行きよりも広くした場合が例示される。この場合、Ｕ字状部材は、奥行きの異なる廃薄型テレビを適用しても問題なく、試験的に搬送したところ良好な結果が得られた。
【００３３】
また本発明においては、Ｕ字状部材３の先端部３ａ，３ｂの互いに対向する面の少なくとも一方側に弾性部材４が取り付けられてなることが、好ましい。このような弾性部材４が取り付けられてなることで、廃薄型テレビＵ字状部材３で挟み込んでの搬送時ならびに廃薄型テレビの取り出し時に、弾性部材４を廃薄型テレビのパネルガラスに当接させることができ、ガラス面が傷つくことを防止できる。弾性部材４は、たとえばＥＰＤＭ、ウレタン製のゴムなどのゴム材料で好適に形成することができる。また、弾性部材４の厚みは特に制限されないが、好ましくは２〜１０ｍｍの範囲内である。具体的には、厚み５ｍｍのＥＰＤＭ製のゴム材料で弾性部材４を実現する場合が例示される。なお、弾性部材４が取り付けられた場合、パネルガラスの傷つきを防止するためには、弾性部材４がパネルガラスに当接するように廃薄型テレビを配置させてＵ字状部材３に挟み込むことになるが、このＵ字状部材３への薄型テレビの取り付け方向を限定しないために、図２に示す例のように、Ｕ字状部材３の先端部３ａ，３ｂの互いに対向する面の両面に弾性部材４を設けることが好ましい。
【００３４】
また図３は、図２に示したＵ字状部材３が複数取り付けられたＵ字状ユニット５を模式的に示す上面図である。図３に示す例のように、本発明のコンテナ１におけるＵ字状部材３は、コンテナの剛性を有する部材に取り付けられたものであることが、好ましい。図３には、剛性を有する一方向に長手の棒状部材６に、複数のＵ字状部材３が取り付けられ形成されたＵ字状ユニット５が示されている。棒状部材６の好適な具体例としては、直径３０ｍｍ、長さ６４０ｍｍの鉄パイプが挙げられ、たとえば溶接またはビス止めによって複数個のＵ字状部材３が棒状部材６に固定される。なお、棒状部材６は、後述するＵ字状ユニット取り付け部材に取り付ける際に位置決めの役割を果たす、Ｕ字状部材３とは反対側に突出するように形成された突出部７を有することが好ましい。
【００３５】
Ｕ字状ユニット５におけるＵ字状部材３の取り付けの間隔Ｌ３は、廃薄型テレビ２を取り付けた状態で、Ｕ字状部材３が互いに干渉し合わないような間隔であれば特に制限されない（具体的な一例として、間隔Ｌ３を１６０ｍｍとした場合が例示される）。また、棒状部材６に取り付けられるＵ字状部材３の個数についても特に制限されないが、コンテナからの廃薄型テレビの取り出しが円滑に行える観点から、３〜６個であるのが好ましい。Ｕ字状部材３が２個以下である場合には、Ｕ字状部材３に廃薄型テレビを挟み込んだ状態で、取り出す際に廃薄型テレビが横方向に倒れてしまう虞があり、またＵ字状部材３が７個以上である場合には、全てのＵ字状部材に廃薄型テレビを挟み込んで搬送する場合に重くなり過ぎ、また廃薄型テレビを取り出しにくくなる傾向にあるためである。図３には、４個のＵ字状部材３を棒状部材６に取り付けた例を示している。
【００３６】
本発明の廃薄型テレビ搬送用コンテナにおいて、上述したようにＵ字状部材が取り付けられた剛性を有する部材（上述したＵ字状ユニット５）が着脱自在であることが好ましい。ここで、図４は、図３に示した複数個のＵ字状部材３が取り付けられ形成されたＵ字状ユニット５を、Ｕ字状ユニット取り付け部材８に取り付けた状態を模式的に示す上面図である。Ｕ字状ユニット取り付け部材８は、コンテナ１に固定されており（図示せず）、Ｕ字状ユニット５を固定するための固定ユニット９と、Ｕ字状ユニット５の左右の位置決めおよび角度決めを行うための溝１０とを有する。
【００３７】
ここで、図５（ａ），（ｂ）は、固定ユニット９によるＵ字状ユニット取り付け部材８へのＵ字状ユニット５の取り付けを段階的に示す図である。Ｕ字状ユニット取り付け部材８の固定ユニット９は、たとえば、Ｕ字状ユニット取り付け部材８の部材本体１１に取り付けられた断面半円状の第１の板金１２と、当該第１の板金１２に連結軸１４を介して連結軸１４回りに回動自在に設けられた断面半円状の第２の板金１３と、本体１１に設けられた第２の板金１３を固定するためのロック付きキャッチクリップ１５と、第１の板金１２を固定するためのピン１６と、本体１１に設けられた穴１７とを有するように構成される。ピン１６は、本体１１に設けられた穴１７に挿入され、第１の板金１２に当接するように設けられ、第１の板金１２を略水平に固定する。
【００３８】
このような固定ユニット９を用いて、第１の板金１２にＵ字状ユニット５の棒状部材６を当接させ、連結軸１４回りに第２の板金１３を回動させることで、棒状部材６を第１の板金１２と第２の板金１３とで包み込むようにする。この状態で、第２の板金１３の連結軸１４に連結された側とは反対側の端部をロック付きキャッチクリップ１５に固定する。図５に示す例では、たとえば第２の板金１３の先端部が折り曲げられ、当該先端部をロック付きキャッチクリップ１５の側面から突出した突出部分１８に引っ掛けられ、さらにロック付きキャッチクリップ１５の当該第２の板金１３の先端部が引っ掛けらた側に形成されたロック付キャッチクリップトッテ１９を下に押し下げることで、固定された例が示されている。たとえばこのようにして、上述したＵ字状ユニット５は、コンテナに着脱自在に設けられる。なお、廃薄型テレビを取り出す際にはＵ字状ユニット５と廃薄型テレビとを分離せすに取り出すことができるように、Ｕ字状ユニット５がコンテナ１の内側となるようにＵ字状ユニット取り付け部材８をコンテナの内部に取り付けることが好ましい。
【００３９】
また、図６は、本発明におけるＵ字状ユニット５のＵ字状ユニット取り付け部材８への取り付けの際の位置決めを模式的に示す上面図である。図４に示した例のＵ字状ユニット取り付け部材８の本体１１には、図３に示した例の棒状部材６に形成された突出部７に対応する位置に予め溝１０が形成されていることが好ましい。このような溝１０が形成されていることで、上述したようにＵ字状ユニット５を当該Ｕ字状ユニット取り付け部材８に取り付ける際には、図６に示すように、突出部７をこの溝１０に嵌め込むようにすることで、Ｕ字状ユニット５の位置決めを容易に行うことができるようになる。
【００４０】
本発明のコンテナ１は、上述のように、Ｕ字状部材が取り付けられた剛性を有する部材（上述した棒状部材）がコンテナに着脱自在に設けられてなることが好ましいが、この場合、当該棒状部材が、コンテナの内部空間に、コンテナの外部空間から着脱自在であるように設けられてなることがより好ましい。このようにコンテナの外部空間から着脱自在であるように設けられてなることで、廃薄型テレビを取り出すとき、Ｕ字状部材が付いたまま数台まとめて取り出せるようになり、コンテナ外の広いスペースで１台ごとに抜き取れるようになるため、作業員の負担が軽減され、取り出し時間が短縮される。また、コンテナを傾斜させ、まとめてコンテナから取り出して解体用のコンベアに移動させる際、薄型テレビを固定させたまま取り出せるため、薄型テレビがぶつかりあい、ガラス部が破損することがなくなる。また後述するようにコンテナを折り畳む際に内部の突起物がなくなり、折り畳んだ後の容積を小さくできる。
【００４１】
また、本発明のコンテナ１は、図１に示す例のように、Ｕ字状ユニット５が上下方向に関して２つ設置されていることが好ましい。このように上下方向に２つのＵ字状ユニット５を設けてなることで、廃薄型テレビの搬送時の安定性が向上される。なお、Ｕ字状ユニット５の配置は特に制限されないが、たとえば、下側に配置されたＵ字状ユニット５については、小型の廃薄型テレビについても安定して固定できるように、コンテナ１の底板２５からの距離ＬＣ１が１６０ｍｍ、また、上側に配置されたＵ字状ユニット５については、大型の廃薄型テレビを安定して固定できるように、コンテナ１の底板２５からの距離ＬＣ２が７００ｍｍの位置となるように配置する場合が例示される。
【００４２】
また本発明のコンテナ１は、上述したＵ字状部材が取り付けられた剛性を有する部材（Ｕ字状ユニット５）が、コンテナに設けられた扉部２１の内側および扉部に対向する部分２２にそれぞれ取り付けられてなることが、好ましい。このようにＵ字状ユニット５が設けられてなることで、大型の廃薄型テレビであっても、安定した固定が可能となる。またこの場合、図１に示す例のように、扉部２１の内側に取り付けられたＵ字状ユニットが運搬中に振動で落下しないように、Ｕ字状ユニットを下方から支持するような支え板２６が扉部２１の内側に取り付けられてなることが好ましい。支え板２６の配置についても特には制限されないが、たとえば、大型の薄型テレビが安定して固定される、底面からの高さＬＣ３を４４０ｍｍの位置に設ける場合が例示される。
【００４３】
また本発明のコンテナ１は、図１に示すように、コンテナ１の底板２５に、廃薄型テレビを積み込む方向に沿ってスリット２７が形成されていることが好ましい。このようなスリット２７が形成されていることで、廃薄型テレビ２のコンテナ１への出し入れが円滑になる。図１には、Ｕ字状部材３の真下に位置するように、たとえば幅１５０ｍｍ、高さ５０ｍｍの二等辺三角形状のスリット２７をコンテナ１の底板２５に形成した例を示している。スリット２７を三角形状にすることで、大型のものから小型のものまで廃薄型テレビのコンテナへの出し入れが円滑となる。なお、このようなスリット２７が底板２５に形成されている場合、図７に示したようなスタンド１０３が本体１０２から分離されていない場合には、通常の状態（本体１０２が上方、スタンド１０３が下方に配置）から上下反転した状態（スタンド１０３が上方、本体１０２が下方に配置）としてコンテナ１に収納する必要がある。このため、上下方向を気にすることなく円滑に廃薄型テレビをコンテナ１に収納して作業効率を向上できるように、廃薄型テレビのスタンドを事前に外しておくことが好ましい。
【００４４】
本発明のコンテナ１は、たとえば、図１に示す例のように、互いに連結された点で各辺が回転可能な枠体によって、折り畳み可能な構造であることが好ましい。このように構成されることで、内部空間に廃薄型テレビを収納しない場合には折り畳んで場所をとることがないという利点がある。
【００４５】
本発明のコンテナ１は、図１に示す例にように通常、直方形状に形成されるが、その大きさ（幅、高さおよび奥行き）は、特に制限されず、搬送する目的の廃薄型テレビの大きさに応じて適宜選択すればよいが、大型の薄型テレビが問題なく入るようにすることが好ましいことから、具体例として、幅を１３００ｍｍ、高さを１１００ｍｍ、奥行きを１７００ｍｍとする場合が例示される。
【００４６】
本発明のコンテナ１はまた、図１に示す例のように、下部に突起状部分２３が設けられ、また上部に皿状部分２４が設けられてなることが好ましい。このように突起状部分２３および皿状部分２４が設けられていることにより、複数のコンテナ１を、上側に配置されたコンテナ１の突起状部分２３が下側に配置されたコンテナ１の皿状部分２４に収容されるようにして、上下方向に安定して積み重ねることができるようになり、廃薄型テレビの搬送の効率が改善される。
【００４７】
図１に示した本発明のコンテナ１を用いることで、たとえば以下のような操作手順にて廃薄型テレビの搬送を行うことができるようになる。
【００４８】
（１）コンテナ１の扉部２１を開き、扉部２１に対向する部分２２に予め固定されたＵ字状ユニット取り付け部材８にＵ字状ユニット５（Ｕ字状部材３および棒状部材６）を取り付ける。
【００４９】
（２）予めスタンドを取り外した廃薄型テレビ２を、コンテナ１の底板２５に形成されたスリット２７に沿わせながらコンテナ１内に入れ、Ｕ字状部材３に挿入し、挟み込ませる。
【００５０】
（３）全てのＵ字状部材３にそれぞれ廃薄型テレビ２を挟み込んだ状態で、各廃薄型テレビの扉部側を別のＵ字状ユニットで挟み込む（なお、コンテナ１に収容される廃薄型テレビ全てが小型である場合には、扉部２１に対向する部分２２に設けられたＵ字状部材３への挟み込みのみで十分に廃薄型テレビを固定できるため、このような別のＵ字状ユニットは必要ない）。
【００５１】
（４）扉部２１を閉め、コンテナ１内に廃薄型テレビ２を固定した後、コンテナ１をトラックに積み込み、リサイクル工場へ搬送する。
【００５２】
（５）リサイクル工場に到着後、コンテナ１の扉部２１に対向する部分２２の外側からＵ字状ユニット５をコンテナ１に固定しているＵ字状ユニット取り付け部材８の固定ユニット９を外し、Ｕ字状ユニット５のコンテナ１への固定を解除する。
【００５３】
（６）コンテナ１の扉部２１を開き、コンテナ１からＵ字状ユニット５と廃薄型テレビ２を一体のままコンテナ１から引き出す。この際、コンテナ１を傾斜させて、Ｕ字ユニット５と廃薄型テレビ２とを一体のままコンテナ１から滑り出させるようにしてもよい。
【００５４】
（７）扉部２１側から挟み込んでいたＵ字状ユニット５を廃薄型テレビ２から外し、その後、廃薄型テレビ２を１台ずつ、扉部２１に対向する側から挟み込んでいたＵ字状湯ニッチ５を引き抜く。
【００５５】
（８）廃薄型テレビ２を解体に供し、素材の回収を行う。
なお、本発明者らは、図１に示したコンテナ１を具体的に製造（設計寸法等は、上述しした具体的数値で実現）し、上述した６５型、１３型が混在した状態の廃薄型テレビを実際に搬送する実験を行ったところ、廃薄型テレビは抜け落ちて破損することなく、良好な結果を得ることができた。このような本発明のコンテナ１によって、搬送中の廃薄型テレビ同士の接触でのパネルガラスの破損、蛍光管の破損といった危険性を低減でき、また、廃薄型テレビを容器から取り出すときに、スタンドなどを他の廃薄型テレビに引っ掛け、落とすことによるパネルガラスの破損、蛍光管の破損といった危険性を低減でき、さらには、パネルガラス、蛍光管の破損を低減できることで、搬送、解体作業に関わる人の労働環境の確保ばかりでなく、搬送、解体作業周辺への環境負荷を抑えることができるという効果が奏されることが、実際に確認された。
【産業上の利用可能性】
【００５６】
本発明の廃薄型テレビ搬送用のコンテナを用いることで、パネルガラス、蛍光管が破砕することを少なくして、パネルガラス中の液晶材料、蛍光管中の水銀などの環境負荷物質の漏出を防ぐことができ、かつ、搬送作業者、解体作業者の作業安全性を確保することができる。
【図面の簡単な説明】
【００５７】
【図１】本発明の廃薄型テレビの搬送用コンテナ１を模式的に示す斜視図である。
【図２】本発明におけるＵ字状部材３を模式的に示す上面図である。
【図３】図２に示したＵ字状部材３が複数取り付けられたユニット５を模式的に示す上面図である。
【図４】図３に示した複数個のＵ字状部材３が取り付けられ形成されたＵ字状ユニット５を、Ｕ字状ユニット取り付け部材８に取り付けた状態を模式的に示す上面図である。
【図５】固定ユニット９によるＵ字状ユニット取り付け部材８へのＵ字状ユニット５の取り付けを段階的に示す図である。
【図６】本発明におけるＵ字状ユニット５のＵ字状ユニット取り付け部材８への取り付けの際の位置決めを模式的に示す上面図である。
【図７】薄型テレビに分類される典型的な一例の液晶テレビ１０１の斜視図である。
【図８】図７に示す液晶テレビ１０１の分解斜視図である。
【符号の説明】
【００５８】
１  コンテナ、２  廃薄型テレビ、３  Ｕ字状部材、４  弾性部材、５  Ｕ字状ユニット、６  棒状部材、７  突出部、８  Ｕ字状ユニット取り付け部材、９  固定ユニット、１０  溝、１２  第１の板金、１３  第２の板金、１４  連結軸、１５  ロック付きキャッチクリップ。
【図１】
2009126542.tif 000003
【図２】
2009126542.tif 000004
【図３】
2009126542.tif 000005
【図４】
2009126542.tif 000006
【図５】
2009126542.tif 000007
【図６】
2009126542.tif 000008
【図７】
2009126542.tif 000009
【図８】
2009126542.tif 000010